(57)【要約】【課題】撮像装置によって撮像される望ましい構図の画像を利用者に提供すること。【解決手段】撮像部と、撮像部によって撮像される撮像画像の複数の構図を格納する構図格納部と、構図格納部が格納する構図の撮像画像が撮像されるために主要被写体が存在すべき位置を示す複数の位置指示部と、位置指示部が示す位置に主要被写体が存在するときに撮像部によって撮像される撮像画像の構図を、複数の位置指示部毎に提示する構図提示部とを備えた。撮像部は、所定の位置に固定的に設置され、複数の位置指示部は、構図格納部が格納する複数の構図のそれぞれにおいて主要被写体が位置すべき位置に描かれた複数の位置表示マーク部を有する。【選択図】図２
2006186413.tif 000002
【特許請求の範囲】
【請求項１】
撮像部と、
前記撮像部によって撮像される撮像画像の複数の構図を格納する構図格納部と、
前記構図格納部が格納する構図の撮像画像が撮像されるために主要被写体が存在すべき位置を示す複数の位置指示部と、
前記位置指示部が示す位置に前記主要被写体が存在するときに前記撮像部によって撮像される撮像画像の構図を、前記複数の位置指示部毎に提示する構図提示部と
を備える撮像システム。
【請求項２】
前記撮像部は、所定の位置に固定的に設置され、
前記複数の位置指示部は、
前記構図格納部が格納する前記複数の構図のそれぞれにおいて主要被写体が位置すべき位置に描かれた複数の位置表示マーク部
を有する請求項１に記載の撮像システム。
【請求項３】
前記構図格納部は、主要被写体の数に応じた前記複数の構図を格納し、
前記複数の位置表示マーク部は、主要被写体の数に応じた位置にそれぞれ描かれている
請求項２に記載の撮像システム。
【請求項４】
前記位置表示マーク部は、主要被写体が存在すべき位置、及び前記撮像部の方向を表示する
請求項２に記載の撮像システム。
【請求項５】
前記構図提示部は、
前記複数の位置表示マーク部のそれぞれに対応づけて、前記複数の位置表示マーク部の近傍にそれぞれ描かれた複数の構図画像である
請求項２に記載の撮像システム。
【請求項６】
主要被写体が所持する携帯端末
をさらに備え、
前記構図提示部は、前記構図格納部が格納する撮像画像の構図を、前記携帯端末に送信して表示させる
請求項２に記載の撮像システム。
【請求項７】
前記複数の位置表示マーク部のそれぞれに対応して設けられ、前記携帯端末からの構図送信要求を無線信号により受信する複数のアンテナ部と、
前記アンテナ部が前記構図送信要求を受信した場合に、前記構図格納部が格納する前記複数の構図のうちで、当該アンテナ部に対応する前記位置表示マーク部が描かれた位置に前記主要被写体が存在するときに前記撮像部によって撮像される撮像画像の構図を選択する構図選択部と
をさらに備え、
前記構図提示部は、前記構図選択部が選択した撮像画像の構図を、前記携帯端末に送信して表示させる
請求項６に記載の撮像システム。
【請求項８】
撮像部で撮像する段階と、
前記撮像部によって撮像される撮像画像の複数の構図を格納する構図格納段階と、
前記構図格納段階において格納する構図の撮像画像が撮像されるために主要被写体が存在すべき位置を複数の位置指示部により示す段階と、
前記位置指示部が示す位置に前記主要被写体が存在するときに前記撮像部によって撮像される撮像画像の構図を、前記複数の位置指示部毎に提示する段階と
を備える撮像方法。
【請求項９】
所定の位置に固定的に設置された撮像部と、
前記撮像部によって撮像される撮像領域内であって、主要被写体が存在することによって、前記撮像部によって撮像される撮像画像に写り込まない位置に設けられ、前記撮像部によって撮像される予め定められた構図の撮像画像を取得するために主要被写体が存在すべき位置を示す位置表示マーク部と
を備える撮像システム。
【請求項１０】
主要被写体の顔画像を格納する顔画像格納部と、
前記撮像画像において主要被写体の顔が写り込むべき位置を格納する顔位置格納部と、
前記撮像画像と前記顔画像とを比較する画像比較部と、
前記画像比較部による比較結果に基づいて、前記撮像画像内に前記顔画像が含まれると判断した場合に、前記撮像部によって撮像された撮像画像を取得する撮像画像取得部と
をさらに備える請求項９に記載の撮像システム。
【請求項１１】
前記撮像部と前記位置表示マーク部との間に設けられた撮像制御マーク部と、
前記撮像画像に前記撮像制御マーク部が写り込んでいるか否かを判断するマーク写込判断部と、
前記マーク写込判断部が前記撮像画像に前記撮像制御マーク部が写り込んでいると判断した場合に、前記撮像部によって撮像された撮像画像を取得し、前記マーク写込判断部が前記撮像画像に前記撮像制御マーク部が写り込んでいないと判断した場合に、前記撮像部によって撮像された撮像画像を取得しない撮像画像取得部と
をさらに備える請求項９に記載の撮像システム。
【請求項１２】
所定の位置に固定的に設置された撮像部で撮像する段階と、
前記撮像部によって撮像される撮像領域内であって、主要被写体が存在することによって、前記撮像部によって撮像される撮像画像に写り込まない位置に設けられ、前記撮像部によって撮像される予め定められた構図の撮像画像を取得するために主要被写体が存在すべき位置を示す段階と
を備える撮像方法。
【発明の詳細な説明】
【技術分野】
【０００１】
本発明は、撮像システム及び撮像方法に関する。特に本発明は、画像を撮像する撮像システム及び撮像方法に関する。
【背景技術】
【０００２】
従来、テーマパーク施設等に設置されたカメラを用いてユーザを撮像するシステムとして、ユーザが所持するシャッタデバイスからの指示によってカメラが撮像するシステムがある。（例えば、特許文献１参照。）。このシステムでは、例えば花壇等に設置されたカメラのスナップスポット付近にユーザが到着すると、ユーザが所有するシャッタデバイスからアラーム音が発せられる。ユーザは、アラーム音を確認してからシャッタデバイスのシャッタボタンを押してカメラを用いて撮像させることによって、ユーザにとって望ましいシャッタチャンスでカメラを用いて撮像させることができる。
【特許文献１】特開２００３−７８８０４号公報
【発明の開示】
【発明が解決しようとする課題】
【０００３】
このようなシステムでは、例えば、ユーザがテーマパーク施設等における名物の建物等の全体を背景としたユーザ自身の写真を撮像しようとする場合に、ユーザはカメラに対するスナップポイント内の最も適切な位置にいるか否かを正確に判断することができない。特に、複数の人間を被写体とした写真を撮像する場合においては、各々の人間が立つべき最も適切な位置を容易に知ることができない。このため、ユーザが立つ位置によっては、名物の建物等がユーザ自身によって隠されてしまう場合がある。このため、ユーザは望ましい構図の画像を得ることができないという課題があった。
【０００４】
そこで本発明は、上記の課題を解決することができる撮像システム及び撮像方法を提供することを目的とする。この目的は特許請求の範囲における独立項に記載の特徴の組み合わせにより達成される。また従属項は本発明の更なる有利な具体例を規定する。
【課題を解決するための手段】
【０００５】
本発明の第１の形態における撮像システムは、撮像部と、撮像部によって撮像される撮像画像の複数の構図を格納する構図格納部と、構図格納部が格納する構図の撮像画像が撮像されるために主要被写体が存在すべき位置を示す複数の位置指示部と、位置指示部が示す位置に主要被写体が存在するときに撮像部によって撮像される撮像画像の構図を、複数の位置指示部毎に提示する構図提示部とを備える。
【０００６】
撮像部は、所定の位置に固定的に設置され、複数の位置指示部は、構図格納部が格納する複数の構図のそれぞれにおいて主要被写体が位置すべき位置に描かれた複数の位置表示マーク部を有してもよい。構図格納部は、主要被写体の数に応じた複数の構図を格納し、複数の位置表示マーク部は、主要被写体の数に応じた位置にそれぞれ描かれていてもよい。位置表示マーク部は、主要被写体が存在すべき位置、及び撮像部の方向を表示してもよい。構図提示部は、複数の位置表示マーク部のそれぞれに対応づけて、複数の位置表示マーク部の近傍にそれぞれ描かれた複数の構図画像であってもよい。
【０００７】
主要被写体が所持する携帯端末をさらに備え、構図提示部は、構図格納部が格納する撮像画像の構図を、携帯端末に送信して表示させてもよい。
【０００８】
複数の位置表示マーク部のそれぞれに対応して設けられ、携帯端末からの構図送信要求を無線信号により受信する複数のアンテナ部と、アンテナ部が構図送信要求を受信した場合に、構図格納部が格納する複数の構図のうちで、当該アンテナ部に対応する位置表示マーク部が描かれた位置に主要被写体が存在するときに撮像部によって撮像される撮像画像の構図を選択する構図選択部とをさらに備え、構図提示部は、構図選択部が選択した撮像画像の構図を、携帯端末に送信して表示させてもよい。
【０００９】
本発明の第２の形態における撮像方法は、撮像部で撮像する段階と、撮像部によって撮像される撮像画像の複数の構図を格納する構図格納段階と、構図格納段階において格納する構図の撮像画像が撮像されるために主要被写体が存在すべき位置を複数の位置指示部により示す段階と、位置指示部が示す位置に主要被写体が存在するときに撮像部によって撮像される撮像画像の構図を、複数の位置指示部毎に提示する段階とを備える。
【００１０】
本発明の第３の形態における撮像システムは、所定の位置に固定的に設置された撮像部と、撮像部によって撮像される撮像領域内であって、主要被写体が存在することによって、撮像部によって撮像される撮像画像に写り込まない位置に設けられ、撮像部によって撮像される予め定められた構図の撮像画像を取得するために主要被写体が存在すべき位置を示す位置表示マーク部とを備える。
【００１１】
主要被写体の顔画像を格納する顔画像格納部と、撮像画像において主要被写体の顔が写り込むべき位置を格納する顔位置格納部と、撮像画像と顔画像とを比較する画像比較部と、画像比較部による比較結果に基づいて、撮像画像内に顔画像が含まれると判断した場合に、撮像部によって撮像された撮像画像を取得する撮像画像取得部とをさらに備えてもよい。
【００１２】
撮像部と位置表示マーク部との間に設けられた撮像制御マーク部と、撮像画像に撮像制御マーク部が写り込んでいるか否かを判断するマーク写込判断部と、マーク写込判断部が撮像画像に撮像制御マーク部が写り込んでいると判断した場合に、撮像部によって撮像された撮像画像を取得し、マーク写込判断部が撮像画像に撮像制御マーク部が写り込んでいないと判断した場合に、撮像部によって撮像された撮像画像を取得しない撮像画像取得部とをさらに備えてもよい。
【００１３】
本発明の第４の形態における撮像方法は、所定の位置に固定的に設置された撮像部で撮像する段階と、撮像部によって撮像される撮像領域内であって、主要被写体が存在することによって、撮像部によって撮像される撮像画像に写り込まない位置に設けられ、撮像部によって撮像される予め定められた構図の撮像画像を取得するために主要被写体が存在すべき位置を示す段階とを備える。
【００１４】
なお上記の発明の概要は、本発明の必要な特徴の全てを列挙したものではなく、これらの特徴群のサブコンビネーションもまた発明となりうる。
【発明の効果】
【００１５】
本発明によれば、撮像装置によって撮像される望ましい構図の画像を利用者に提供することができる。
【発明を実施するための最良の形態】
【００１６】
以下、発明の実施形態を通じて本発明を説明するが、以下の実施形態は特許請求の範囲に係る発明を限定するものではなく、また実施形態の中で説明されている特徴の組み合わせの全てが発明の解決手段に必須であるとは限らない。
【００１７】
図１は、本発明の実施形態に係る撮像システムの利用環境の一例を示す。撮像システムは、例えば、遊園地に遊びにきているユーザの写真を撮像して、ユーザに提供する。撮像部１１０は、遊園地の名物の像を背景としたユーザの写真を撮ることのできる位置に設置されている。複数の位置表示マーク部（１６２ａ〜ｃ、以下１６２と総称する。）は、遊園地の名物の像を背景としたユーザの写真を適切な構図で撮像するために、ユーザが立つべき位置の地面に描かれている。位置表示マーク部１６２ａ、位置表示マーク部１６２ｂ、及び位置表示マーク部１６２ｃは、それぞれ１人、２人、及び３人の被撮像者の画像を撮像する場合に、最適な構図の画像を得るために被撮像者が立つ位置を示している。
【００１８】
ユーザが所持する携帯端末１４０は、ユーザの操作に基づいて、撮像部１１０を用いて撮像する信号を送信する。位置表示マーク部１６２の近傍には、複数のアンテナ部（１３０ａ〜ｃ、以下１３０と総称する。）が備えられている。アンテナ部１３０ａ、アンテナ部１３０ｂ、及びアンテナ部１３０ｃは、それぞれ位置表示マーク部１６２ａ、位置表示マーク部１６２ｂ、及び位置表示マーク部１６２ｃにユーザが立った場合に、携帯端末１４０から送信される信号を受信できるよう設けられている。サーバ１２０は、携帯端末１４０から発信された信号を無線通信によりアンテナ部１３０から受信する。そして、サーバ１２０は、アンテナ部１３０で受信した信号に基づいて、撮像部１１０にユーザの画像を撮像させる。
【００１９】
サーバ１２０は、撮像部１１０が撮像した画像を取得して、ユーザ毎にそれぞれ設けられたディレクトリ、例えば携帯端末１４０と関連付けられたディレクトリに格納する。そして、ユーザは、遊園地を出るときに、ユーザ毎にサーバ１２０に格納された画像を受け取る。また、サーバ１２０は、サーバ１２０に格納された画像を、アンテナ部１３０を通じて携帯端末１４０に送信することによって、ユーザに提供してもよい。また、携帯端末１４０は、ユーザが所有する携帯電話等の携帯情報端末であってよく、遊園地に入場するユーザに貸し出される携帯情報端末であってもよい。
【００２０】
本実施形態の撮像システムによれば、位置表示マーク部１６２によって、ユーザが最適な構図で撮像するために位置すべき位置をユーザに知らせることができる。
【００２１】
図２は、撮像システムのブロック構成の一例を示す。撮像システムは、撮像部１１０、サーバ１２０、アンテナ部１３０、撮像制御マーク部１８０、構図画像（１７０ａ〜ｃ、以下１７０と総称する。）、位置表示部（１６０ａ〜ｃ、以下１６０と総称する。）、及び携帯端末１４０を備える。サーバ１２０は、構図格納部２３４、構図選択部２３６、構図提示部２３８、顔画像格納部２３０、顔位置格納部２３２、画像比較部２２８、マーク写込判断部２２６、撮像画像取得部２２２、撮像画像格納部２２４、及び撮像制御部２２０を有する。また、携帯端末１４０は、撮像情報表示部２４２を有する。また、位置表示部１６０のそれぞれは位置表示マーク部１６２を有する。
【００２２】
なお、撮像システムが備える構成要素のうち、撮像部１１０のみが被写体を撮像できる場所に設置され、サーバ１２０は、撮像部１１０とは異なる場所に備えられるパーソナルコンピュータ等によって実現されてもよい。
【００２３】
携帯端末１４０は、撮像部１１０によって撮像される主要被写体によって所持される。そして、携帯端末１４０は、撮像部１１０を遠隔操作する信号を無線通信により送信する。例えば、携帯端末１４０は、撮像部１１０に撮像を指示する信号、サーバ１２０に被写体の構図を要求する信号等を送信する。
【００２４】
アンテナ部１３０は、携帯端末１４０からの信号を無線信号により受信する。撮像制御部２２０は、アンテナ部１３０が受信した信号に基づいて撮像部１１０を制御する。例えば、撮像制御部２２０は、携帯端末１４０から撮像を指示された場合に、撮像部１１０に撮像を指示する。
【００２５】
撮像部１１０は、被写体からの光をＣＣＤ等の撮像デバイスで受光して、被写体を撮像する。そして、撮像画像取得部２２２は、撮像部１１０が撮像する撮像画像を取得して、撮像画像格納部２２４に格納する。なお、撮像部１１０は、所定の位置に固定的に設置されていてもよい。また、撮像部１１０は、所定の時間間隔で連続的に被写体を撮像してもよい。そして、撮像部１１０は、連続的に撮像して得られる、所定の個数の画像を保持してもよい。そして、撮像画像取得部２２２は、撮像部１１０が保持している撮像画像の中から、撮像部１１０による撮像を指示された時刻に最も近いタイミングで撮像された撮像画像を取得してもよい。
【００２６】
また、サーバ１２０は、撮像画像格納部２２４に格納された撮像画像を携帯端末１４０に送信してもよい。そして、携帯端末１４０は、サーバ１２０から受け取った撮像画像を撮像情報表示部２４２で表示させ、ユーザに提示してもよい。
【００２７】
構図格納部２３４は、撮像部１１０によって撮像される撮像画像の複数の構図を格納する。そして、位置表示部１６０のそれぞれは、構図格納部２３４が格納する複数の構図の撮像画像が撮像されるために主要被写体が存在すべき位置を示す。
【００２８】
位置表示マーク部１６２は、撮像部１１０によって撮像される予め定められた構図の撮像画像を取得するために主要被写体が存在すべき位置を示す。具体的には、位置表示マーク部１６２は、構図格納部２３４が格納する複数の構図のそれぞれにおいて主要被写体が位置すべき位置に描かれている。ユーザは、位置表示マーク部１６２が描かれた位置で撮像することによって、構図格納部２３４で格納される構図の撮像画像を得ることができる。
【００２９】
構図提示部２３８は、位置表示部１６０が示す位置に主要被写体が存在するときに撮像部１１０によって撮像される撮像画像の構図を、複数の位置表示部１６０毎に提示する。具体的には、構図提示部２３８は、構図格納部２３４が格納する構図のうち構図選択部２３６によって選択された構図を位置表示部１６０毎に提示する。
【００３０】
例えば、構図選択部２３６は、携帯端末１４０から構図を要求する構図送信要求をアンテナ部１３０で受信した場合に、構図格納部２３４が格納する複数の構図から、アンテナ部１３０に対応する位置表示マーク部１６２が描かれた位置に主要被写体が存在するときに撮像部１１０によって撮像される撮像画像の構図を選択する。そして、構図提示部２３８は、構図選択部２３６が選択した撮像画像の構図を、携帯端末１４０に送信して、撮像情報表示部２４２に表示させる。
【００３１】
また、複数の構図画像１７０は、複数の位置表示マーク部１６２のそれぞれに対応づけて、複数の位置表示マーク部１６２の近傍にそれぞれ描かれている。なお、構図画像１７０は、構図提示部２３８の一例であってもよい。
【００３２】
顔画像格納部２３０は、主要被写体の顔画像を格納する。例えば、顔画像格納部２３０は、遊園地等への入場時に撮像されたユーザの顔画像を予め格納する。また、顔位置格納部２３２は、撮像画像において主要被写体の顔が写り込むべき位置を格納する。そして、画像比較部２２８は、撮像画像における主要被写体の顔が写り込むべき位置を含む範囲の画像と、顔画像格納部２３０が格納する顔画像とを比較する。そして、撮像画像取得部２２２は、画像比較部２２８による比較結果に基づいて、顔位置格納部２３２が格納する顔画像が撮像画像内に含まれると判断した場合に、撮像部１１０によって撮像された撮像画像を取得する。
【００３３】
また、撮像制御マーク部１８０は、撮像部１１０と位置表示マーク部１６２との間に設けられる。そして、マーク写込判断部２２６は、撮像部１１０によって撮像される撮像画像に撮像制御マーク部１８０が写り込んでいるか否かを判断する。そして、マーク写込判断部２２６が撮像画像に撮像制御マーク部１８０が写り込んでいると判断した場合に、撮像画像取得部２２２は、撮像部１１０によって撮像された撮像画像を取得する。また、マーク写込判断部２２６が撮像画像に撮像制御マーク部１８０が写り込んでいないと判断した場合には、撮像画像取得部２２２は、撮像部１１０によって撮像された撮像画像を取得しない。
【００３４】
図３は、ユーザが位置する撮像位置の一例を示す。位置表示マーク部１６２は、主要被写体の数に応じた位置にそれぞれ描かれている。具体的には、位置表示マーク部１６２ａ、位置表示マーク部１６２ｂ、及び位置表示マーク部１６２ｃは、それぞれ１人、２人、及び３人の主要被写体の画像を撮像部１１０により撮像する場合における、最適な構図の画像を得るために主要被写体が存在すべき位置に描かれている。
【００３５】
さらに、位置表示マーク部１６２は、主要被写体が存在すべき位置と、撮像部１１０の方向を表示してもよい。例えば、位置表示マーク部１６２は、ユーザが存在すべき位置の地面に描かれた、人間の足を模ったマークであってよい。この場合、当該マークに足を合わせて立った人間の顔は、撮像部１１０の設置されている方向を向くことになる。また、更に、位置表示マーク部１６２は、撮像部１１０が設置されている方向を示す、地面に描かれた矢印を含んでもよい。
【００３６】
なお、位置表示マーク部１６２は、撮像部１１０によって撮像される撮像領域内に描かれていてもよい。そして、主要被写体が存在することによって、撮像部１１０によって撮像される撮像画像に写り込まない位置に設けられていてもよい。例えば、位置表示マーク部１６２は、当該位置表示マーク部１６２が設けられた位置に主要被写体が存在することによって、主要被写体に遮られて撮像画像に写り込まない位置に設けられる。例えば、位置表示マーク部１６２は、位置表示マーク部１６２の上に人間が立つことによって、位置表示マーク部１６２がユーザの足に遮られて、撮像画像に写り込まない位置に設けられてもよい。例えば、位置表示マーク部１６２は、人間の足の大きさよりも小さい大きさのマークであってよい。
【００３７】
また、位置表示部１６０は、位置表示マーク部１６２の他に、撮像部１１０から発光することによって地面に表示されるものであってよい。例えば、主要被写体が立つべき位置に固定された発光素子を発光させることによって主要被写体が存在すべき位置を示してもよい。他にも、位置表示部１６０は、主要被写体が立つべき位置に設置された蛍光材であってよい。そして、位置表示部１６０は、紫外線ストロボによって蛍光材を発光させることによって主要被写体が存在すべき位置を示してもよい。
【００３８】
また、構図画像１７０ａ、構図画像１７０ｂ、及び構図画像１７０ｃは、それぞれの位置表示マーク部１６２ａ、位置表示マーク部１６２ｂ、及び位置表示マーク部１６２ｃのそれぞれに対して描かれている。構図画像１７０は、それぞれの構図画像１７０に対して描かれた位置表示マーク部１６２の近傍に描かれていてもよい。ユーザは、位置表示マーク部１６２の近傍に描かれた構図画像１７０によって、当該位置表示マーク部１６２の位置で撮像した場合に撮像部１１０によって撮像される構図を撮像前に確認することができる。
【００３９】
また、アンテナ部１３０は、複数の位置表示マーク部１６２のそれぞれに対応して設けられている。そして、アンテナ部１３０は、携帯端末１４０からの構図送信要求を無線信号により受信する。
【００４０】
なお、アンテナ部１３０が構図送信要求を受信することのできる領域は、対応する位置表示マーク部１６２上にいるユーザが所持する携帯端末１４０からの構図送信要求を受信できる領域であってよい。そして、アンテナ部１３０によって構図送信要求を受信することのできる領域は、対応する位置表示マーク部１６２以外の位置表示マーク部１６２の上にいるユーザが所持する携帯端末１４０から送信される構図送信要求を受信できない領域であってよい。
【００４１】
また、アンテナ部１３０は、対応する位置表示部１６０にユーザが位置する場合に構図送信要求を受信でき、かつ、対応する位置表示部１６０にユーザがいない場合に構図送信要求を受信できないようになっていてもよい。例えば、アンテナ部１３０による構図送信要求を受信する動作を制御するスイッチが位置表示部１６０の近傍に設置されていてよい。そして、位置表示部１６０の上に位置するユーザの操作、ユーザの体重による圧力等により当該スイッチをオンになったことを条件として、アンテナ部１３０による構図送信要求を受信する動作が機能してもよい。
【００４２】
また、アンテナ部１３０は、位置表示マーク部１６２が描かれている位置の近傍に設置されてもよい。また、アンテナ部１３０は、撮像部１１０で撮像される画像に写り込まないよう、地面の下に埋設されていてもよい。また、アンテナ部１３０は、撮像部１１０で撮像される撮像領域の外に設けられてもよい。他にも、アンテナ部１３０は、例えば建物の壁等の、地面のより高い場所に設けられてもよい。
【００４３】
なお、構図格納部２３４は、主要被写体の数に応じた複数の構図を格納してもよい。例えば、構図格納部２３４は、構図画像１７０と同様の画像を、位置表示マーク部１６２に対応づけて格納しておく。そして、構図選択部２３６は、アンテナ部１３０が構図送信要求を受信した場合に、構図格納部２３４が格納する複数の構図のうちで、当該アンテナ部１３０に対応する位置表示マーク部１６２が描かれた位置に主要被写体が存在するときに撮像部１１０によって撮像される撮像画像の構図を選択する。
【００４４】
例えば、位置表示マーク部１６２ｃが描かれた位置にいるユーザが携帯端末１４０を用いて構図送信要求を送信した場合に、当該構図送信要求を、当該ユーザによって位置表示マーク部１６２ｃに対応するアンテナ部１３０ｃが信号を受信する。構図選択部２３６は、当該信号を受信したアンテナ部１３０ｃに対応する位置表示マーク部１６２ｃに対応づけられて格納された撮像画像の構図を選択する。なお、構図選択部２３６は、同じ携帯端末１４０から送信された構図送信要求を複数のアンテナ部１３０が受信した場合には、最も強い受信強度で構図送信要求を受信したアンテナ部１３０ｃに対応する位置表示マーク部１６２ｃに対応づけられて格納された構図画像の構図を選択してもよい。
【００４５】
なお、撮像制御マーク部１８０は、位置表示マーク部１６２と撮像部１１０の間の地面に描かれている。撮像画像取得部２２２は、撮像部１１０によって撮像される撮像画像に撮像制御マーク部１８０が写り込んでいる場合に、当該撮像画像を取得する。
【００４６】
なお、位置表示マーク部１６２の近傍には、撮像部１１０に撮像を指示する撮像ボタンが、位置表示マーク部１６２のそれぞれに対して備えられてもよい。例えば、撮像ボタンは、位置表示マーク部１６２のそれぞれに位置するユーザの足元に備えられていてよい。そして、撮像部１１０は、ユーザの足によって操作された撮像ボタンに対応する位置表示マーク部１６２を識別して、当該位置表示マーク部１６２が示す主要被写体の数に応じた構図で画像を撮像してもよい。また、撮像部１１０は、位置表示マーク部１６２のそれぞれが示す主要被写体の数のユーザが位置表示マーク部１６２に位置することを条件として撮像してもよい。例えば、撮像ボタンが、位置表示マーク部１６２が示す主要被写体が存在すべき位置のそれぞれに設けられていてもよい。そして、撮像部１１０は、位置表示マーク部１６２によって示される主要被写体の数のユーザによって、当該位置表示マーク部１６２が示す主要被写体が存在すべき位置に備えられた撮像ボタンの全てが操作されていることを条件として撮像してもよい。
【００４７】
図４は、撮像部１１０による撮像画像の一例を示す。画像５０２は、撮像画像取得部２２２によって取得される撮像画像の一例を示す。また、画像５０４は、撮像画像取得部２２２によって取得されない撮像画像の一例を示す。マーク写込判断部２２６は、撮像部１１０によって撮像される撮像画像に撮像制御マーク部１８０が写り込んでいるか否かを判断する。なお、マーク写込判断部２２６は、撮像部１１０によって撮像される撮像画像において、撮像制御マーク部１８０が写り込む位置を、撮像部１１０によって撮像される構図のそれぞれに対応付けて予め記憶しておいてよい。そして、マーク写込判断部２２６は、撮像制御マーク部１８０が写り込むべき撮像画像の位置に、撮像制御マーク部１８０が写り込んでいるか否かを判断する。撮像画像取得部２２２は、マーク写込判断部２２６によって撮像制御マーク部１８０が写り込んでいる場合に、撮像部１１０が撮像した画像を取得する。
【００４８】
一方、撮像制御マーク部１８０は、人物５１４によって遮られることによって画像５０４には写り込んでいない。この場合、マーク写込判断部２２６は、撮像制御マーク部１８０が写り込むべき撮像部１１０における撮像画像の位置に、撮像制御マーク部１８０が写り込んでいないと判断する。この場合、撮像画像取得部２２２は撮像部１１０が撮像した画像を取得しない。このため、ユーザの意図しない人物等がユーザの前面に写り込んでいない撮像画像をユーザに提供することができる。
【００４９】
なお、ユーザが撮像を指示したタイミングの近傍で、撮像部１１０の被写界深度を浅くして得られる撮像画像を用いて、ユーザが意図しない被写体が撮像画像に写り込んでいるか否かを判断してもよい。例えば、携帯端末１４０から撮像を指示された場合に、撮像制御部２２０は、撮像を指示する信号を受信したアンテナ部１３０に対応する位置表示マーク部１６２の位置を中心にした被写界深度のより浅い撮像画像を、撮像部１１０によって撮像する。そして、撮像画像取得部２２２は、撮像部１１０によって撮像される撮像画像の空間周波数成分を算出する。そして、撮像画像取得部２２２は、算出した空間周波数成分のうち、所定周波数以下の低周波数成分において所定値以上の強度を持つ成分を有する場合に、当該撮像画像を取得しない。この場合、位置表示マーク部１６２以外の位置にいるユーザ以外の観光客等が撮像画像に写り込むことを防ぐことができる。したがって、ユーザにとって望ましい撮像画像を提供することができる。
【００５０】
図５は、顔位置格納部２３２が格納する顔位置の一例を示す。撮像画像４０２、撮像画像４０４、及び撮像画像４０６は、それぞれ位置表示マーク部１６２ａ、位置表示マーク部１６２ｂ、及び位置表示マーク部１６２ｃの上に人間が立って撮像部１１０を用いて撮像した場合に得られる画像の一例である。顔位置格納部２３２は、位置表示マーク部１６２が描かれた位置に主要被写体が存在するときに撮像部１１０によって撮像される撮像画像において、人物の顔が位置する範囲を格納する。
【００５１】
例えば、顔位置格納部２３２は、撮像画像４０２の構図において、ユーザが位置表示マーク部１６２ａに立ったユーザの顔が位置する範囲４４２を格納しておく。同様に、顔位置格納部２３２は、撮像画像４０４及び撮像画像４０６で示される構図においては、ユーザが位置表示マーク部１６２ｂ及び位置表示マーク部１６２ｃに立ったユーザの顔が位置する範囲（４４４、４４６）及び範囲（４４８、４５０、４５２）を格納しておく。そして、画像比較部２２８は、撮像画像における、顔位置格納部２３２が格納する範囲内に、顔画像格納部２３０に格納される顔画像が含まれるか否かを判断する。
【００５２】
具体的には、画像比較部２２８は、撮像画像のうち顔が位置する範囲４４２で格納される範囲の画像からエッジ抽出等によって抽出される被写体の輪郭と、顔画像格納部２３０に格納される顔画像の輪郭とを、パターンマッチング等によって比較する。画像比較部２２８は、顔位置格納部２３２に格納されている顔位置を含む領域内において顔画像を比較することによって、撮像部１１０が撮像する画像全体から人物の顔を抽出する場合に比べて、顔画像格納部２３０に登録されている人物が位置表示部１６０に位置しているか否かをより短い時間で判断することができる。
【００５３】
他にも、顔位置格納部２３２は、撮像画像４０２において、ユーザが位置表示マーク部１６２に立ったユーザの顔が位置する中心の座標を記憶しておいてもよい。そして、画像比較部２２８は、撮像画像の、顔位置格納部２３２が格納する位置を含む所定の範囲内に、顔画像格納部２３０に格納される顔画像と合致する被写体が存在するか否かを判断してもよい。
【００５４】
なお、顔位置格納部２３２は、予め登録されたユーザの身長情報に基づいて、構図格納部２３４に格納される構図の各々について、撮像画像におけるユーザの顔の位置を算出し、算出した顔の位置を、顔画像格納部２３０に格納される顔画像に対応づけて格納してもよい。なお、顔位置格納部２３２は、予め登録されたユーザの年齢情報に基づいてユーザの身長の範囲を決定し、決定したユーザの身長の範囲に基づいて算出した顔の位置を、顔画像格納部２３０に格納される顔画像に対応づけて格納してもよい。画像比較部２２８は、顔画像と、顔画像毎に定められる範囲の撮像画像とを比較すればよいので、顔画像格納部２３０に顔画像が登録されている人物が位置表示部１６０に位置しているか否かをより短い時間で判断することができる。
【００５５】
図６は、撮像部１１０を用いて撮像する手順の一例を示す。携帯端末１４０から撮像を指示された場合に、画像比較部２２８は、撮像部１１０によって撮像された撮像画像を取得して、当該撮像画像内に、構図格納部２３４に格納されている顔画像が含まれるか否かを判断する（Ｓ６１２）。画像比較部２２８が、撮像部１１０によって撮像された撮像画像内に、構図格納部２３４に格納されている顔画像が含まれると判断した場合（Ｓ６１２：ＹＥＳ）に、マーク写込判断部２２６は、撮像部１１０によって撮像される撮像画像内に撮像制御マーク部１８０が写り込んでいるか否かを判断する（Ｓ６２２）。マーク写込判断部２２６が、撮像部１１０によって撮像される撮像画像内に撮像制御マーク部１８０が写り込んでいると判断した場合（Ｓ６２２：ＹＥＳ）に、撮像部１１０が被写体を撮像する（Ｓ６２４）。
【００５６】
続いて、サーバ１２０は、撮像部１１０によって撮像されたことをユーザに通知する（Ｓ６２６）。例えば、撮像部１１０で撮像されたタイミングで、撮像部１１０から光を発光することによって、撮像された旨をユーザに知らせる。他にも、サーバ１２０が、撮像部１１０により撮像された旨を示す信号を携帯端末１４０に送信してもよい。そして、携帯端末１４０は、サーバ１２０から当該信号を受け取った場合に、撮像された旨をユーザに示す音を発生してもよい。他にも、携帯端末１４０は、撮像された旨をユーザに示す表示を撮像情報表示部２４２に表示してもよい。
【００５７】
続いて、撮像画像取得部２２２は、撮像部１１０によって撮像された撮像画像を取得して（Ｓ６２８）、当該撮像画像を撮像画像格納部２２４に格納する。また、サーバ１２０は、撮像画像格納部２２４に格納された画像を携帯端末１４０に送信してもよい。そして、携帯端末１４０は、サーバ１２０から受信した撮像画像を撮像情報表示部２４２に表示してもよい。
【００５８】
なお、Ｓ６１２において、画像比較部２２８が、撮像部１１０によって撮像された撮像画像内に、構図格納部２３４に格納されている顔画像が含まれていないと判断した場合（Ｓ６１２：ＮＯ）には、撮像部１１０により撮像されなかった旨をユーザに通知し（Ｓ６３０）、処理を終了する。また、Ｓ６２２において、マーク写込判断部２２６が、撮像部１１０によって撮像される撮像画像内に撮像制御マーク部１８０が写り込んでいないと判断した場合（Ｓ６２２：ＮＯ）にも、Ｓ６３０の処理をした後に処理を終了する。
【００５９】
なお、Ｓ６３０においては、撮像部１１０が撮像したことをユーザに示す場合に発光する光とは異なる色の光を撮像部１１０から発光することによって、撮像されなかった旨をユーザに知らせてよい。他にも、サーバ１２０が、撮像部１１０により撮像されなかった旨を示す信号を携帯端末１４０に送信してもよい。そして、携帯端末１４０は、サーバ１２０から当該信号を受け取った場合に、撮像されなかった旨をユーザに示す音を発生してもよい。他にも、携帯端末１４０は、撮像されなかった旨をユーザに示す表示を撮像情報表示部２４２に表示してもよい。
【００６０】
なお、図６においては、携帯端末１４０からの指示に基づいて動作する場合の一例を説明したが、撮像部１１０が連続的に被写体を撮像する場合も、携帯端末１４０によって指示されたタイミングの近傍で撮像された撮像画像について、同様の動作をしてよい。すなわち、画像比較部２２８は、撮像部１１０により連続的に撮像されて得られる撮像画像のうち、携帯端末１４０によって指示されたタイミングの近傍で撮像された撮像画像に対して、当該撮像画像内に構図格納部２３４に格納されている顔画像が含まれるか否かを判断してもよい。また、マーク写込判断部２２６は、Ｓ６２２において、撮像部１１０により連続的に撮像されて得られる撮像画像のうち、携帯端末１４０によって指示されたタイミングの近傍で撮像された撮像画像に対して、当該撮像画像内に撮像制御マーク部１８０が写り込んでいるか否かを判断してもよい。これにより、ユーザは、携帯端末１４０を操作することなく、位置表示マーク部１６２の上に立つことによって、撮像部１１０を用いて撮像することができる。
【００６１】
なお、撮像部１１０が連続的に被写体を撮像する場合には、ユーザに提供する撮像画像の解像度よりも低い解像度で被写体を連続的に撮像してもよい。そして、画像比較部２２８及びマーク写込判断部２２６は、撮像部１１０により撮像された低い解像度の撮像画像に対してＳ６１２及びＳ６２２における判断をしてもよい。そして、撮像部１１０は、Ｓ６２４において、Ｓ６１２及びＳ６２２における判断をするために用いた撮像画像の解像度よりも高い解像度でユーザに提供する撮像画像を撮像してもよい。そして、撮像画像取得部２２２は、Ｓ６２８において、Ｓ６２４において撮像部１１０が撮像した高い解像度の撮像画像を取得してもよい。
【００６２】
本実施形態の撮像システムによれば、適切な構図の画像を撮像するためにユーザが位置すべき場所を、ユーザに知らせることができる。したがって、望ましい構図の画像をユーザに提供することができる。
【００６３】
以上、実施形態を用いて本発明を説明したが、本発明の技術的範囲は上記実施形態に記載の範囲には限定されない。上記実施形態に、多様な変更又は改良を加えることができる。そのような変更又は改良を加えた形態も本発明の技術的範囲に含まれ得ることが、特許請求の範囲の記載から明らかである。
【図面の簡単な説明】
【００６４】
【図１】撮像システムの利用環境の一例を示す図である。
【図２】撮像システムのブロック構成の一例を示す図である。
【図３】ユーザが位置する撮像位置の一例を示す図である。
【図４】撮像部１１０による撮像画像の一例を示す図である。
【図５】顔位置格納部２３２が格納する顔位置の一例を示す図である。
【図６】撮像部１１０を用いて撮像する手順の一例を示す図である。
【符号の説明】
【００６５】
１１０  撮像部
１２０  サーバ
１３０  アンテナ部
１４０  携帯端末
１６０  位置表示部
１６２  位置表示マーク部
１７０  構図画像
１８０  撮像制御マーク部
２２０  撮像制御部
２２２  撮像画像取得部
２２４  撮像画像格納部
２２６  マーク写込判断部
２２８  画像比較部
２３０  顔画像格納部
２３２  顔位置格納部
２３４  構図格納部
２３６  構図選択部
２３８  構図提示部
２４２  撮像情報表示部
【図１】
2006186413.tif 000003
【図２】
2006186413.tif 000004
【図３】
2006186413.tif 000005
【図４】
2006186413.tif 000006
【図５】
2006186413.tif 000007
【図６】
2006186413.tif 000008